(57)【要約】【課題】チューブ容器の密閉膜を簡易に破ることができるようにする。【解決手段】容器本体（１）の注出口（２）の雄ネジ（２ａ）と螺合する雌ネジ（３ａ）がキャップ本体（３）の内部に形成され、容器本体（１）の注出口（２）の密閉膜（４）を破る開封刃（５）がキャップ本体（３）の天井に設けられ、キャップ本体（３）と容器本体（１）との間に介在するストッパ（６）によって上記開封刃（５）が密閉膜（４）から離反せしめられる開封刃付きキャップにおいて、ストッパ（６）がキャップ本体（３）とは別体の略Ｕ字形リングとして形成され、キャップ本体（３）と容器本体（１）との間に着脱自在に挿入される。【選択図】図２
2012071862.tif 000002
【特許請求の範囲】
【請求項１】
容器本体の注出口の雄ネジと螺合する雌ネジがキャップ本体の内部に形成され、容器本体の注出口の密閉膜を破る開封刃がキャップ本体の天井に設けられ、キャップ本体と容器本体との間に介在するストッパによって上記開封刃が上記密閉膜から離反せしめられる開封刃付きキャップにおいて、上記ストッパは上記キャップ本体とは別体の略Ｕ字形リングとして形成され、上記キャップ本体と上記容器本体との間に着脱自在に挿入されたことを特徴とする開封刃付きキャップ。
【請求項２】
容器本体の注出口の雄ネジと螺合する雌ネジがキャップ本体の内部に形成され、容器本体の注出口の密閉膜を破る開封刃がキャップ本体の天井に設けられ、キャップ本体と容器本体との間に介在するストッパによって上記開封刃が上記密閉膜から離反せしめられる開封刃付きキャップにおいて、上記ストッパは上記キャップ本体とは別体の略Ｕ字形リングとして形成され、上記開封刃は複数個設けられ、これら複数個の開封刃は切っ先が上記密閉膜に対して同時に接触しうるように形成されたことを特徴とする開封刃付きキャップ。
【請求項３】
容器本体の注出口の雄ネジと螺合する雌ネジがキャップ本体の内部に形成され、容器本体の注出口の密閉膜を破る開封刃がキャップ本体の天井に設けられ、キャップ本体と容器本体との間に介在するストッパによって上記開封刃が上記密閉膜から離反せしめられる開封刃付きキャップにおいて、上記ストッパは、上記キャップ本体とは別体の略Ｕ字形リングとして形成され、上記開封刃は、切っ先が上記密閉膜に対して垂直と水平との間の角度で傾斜するように形成されたことを特徴とする開封刃付きキャップ。
【請求項４】
請求項１又は請求項２に記載の開封刃付きキャップにおいて、複数個の開封刃が上記天井の中心の回りに環状に配列されたことを特徴とする開封刃付きキャップ。
【請求項５】
請求項４に記載の開封刃付きキャップにおいて、開封刃が、上記天井の中央から垂下する円柱の下端にＶ型溝を放射状に設けた形状とされたことを特徴とする開封刃付きキャップ。
【請求項６】
請求項３に記載の開封刃付きキャップにおいて、開封刃が、上記天井の中心から外れた位置に設けられたことを特徴とする開封刃付きキャップ。
【請求項７】
請求項３又は請求項６のいずれかに記載の開封刃付きキャップにおいて、開封刃が、上記天井の中央から垂下する円柱をその中心軸に斜めに交差する斜面で切除した形状とされたことを特徴とする開封刃付きキャップ。
【発明の詳細な説明】
【技術分野】
【０００１】
本発明は、チューブ容器等の注出口を塞ぐ密閉膜を開封することができる開封刃付きキャップに関する。
【背景技術】
【０００２】
毛染め剤、脱毛剤等を充填したチューブ容器等は、中味の毛染め剤等を注出するための円筒形の注出口を有し、中味の酸化、変質を防ぐため、注出口の先端はアルミニウム箔等からなる密閉膜により塞がれる。また、注出口にはキャップが被せられ、注出口の外周面には雄ネジが形成され、この雄ネジに螺合する雌ネジがキャップ内に形成される。これにより注出口が保護される。
【０００３】
上記キャップには、チューブ容器から中味を取り出すに際し、密閉膜を破るために先の尖った錐状の刃が設けられる。この刃は、密閉膜の中央に穴を開けるため、また、密閉膜を破る際に刃先に付着した中味をキャッピング後に外部に露出させないように、キャップの天井の中央に設けられる（例えば、特許文献１、２参照。）。
【０００４】
また、チューブ容器等の搬送時や保管時に刃が密閉膜を破ることがないように、リング状ストッパがキャップの下端縁に一体的に蝶着され（例えば、特許文献１参照。）、あるいはキャップの下端縁にリング状のカラー部材が嵌め込まれる（例えば、特許文献２参照。）。
【０００５】
チューブ容器を開封するに際しては、まず上記ストッパを蝶番の箇所で破断させ、あるいはカラー部材をキャップから外して、ストッパやカラー部材をキャップと容器本体との間から除去する。そして、キャップを注出口に被せてネジ込むと、キャップの天井の刃が密閉膜を破り、注出口を開封する。その後、キャップを注出口から除去することにより、チューブ容器から中味を押し出すことができ、所望量押し出した後にキャップを再び注出口に螺合させることでチューブ容器を密封することができる。
【先行技術文献】
【特許文献】
【０００６】
【特許文献１】特開２００２−２２５８９４号公報
【特許文献２】特開２０００−２０３６２０号公報
【発明の概要】
【発明が解決しようとする課題】
【０００７】
従来のキャップはストッパがキャップに強固に取り付けられているので、ストッパの除去が面倒であり、容器の開封操作に手間と時間を要するという問題がある。
【０００８】
また、従来の開封刃付きキャップは、その天井の中央に錐状の開封刃を備えているので、キャップが他の物体等に接触する等して少しでもねじ込まれると、注出口の密閉膜が直ちに破られ、容器の密閉性が損なわれてしまうという問題もある。
【０００９】
これを防止するため、リング状ストッパが蝶番部を介してキャップに強固に連結され、あるいはリング状カラー部材がキャップに強固に嵌め込まれている。そのため、使用者等は開封時にリング状ストッパやリング状カラー部材をキャップから外し難くなり、かえって開封操作が面倒になっている。
【００１０】
したがって、本発明は、上記問題点を解消することができる開封刃付きキャップを提供することを目的とする。
【課題を解決するための手段】
【００１１】
本発明は上記課題を解決するためのもので、次のような構成を採用する。
【００１２】
なお、図面の参照符号を括弧付きで付するが、本発明はこれに限定されるものではない。
【００１３】
すなわち、請求項１に係る発明は、容器本体（１）の注出口（２）の雄ネジ（２ａ）と螺合する雌ネジ（３ａ）がキャップ本体（３）の内部に形成され、容器本体（１）の注出口（２）の密閉膜（４）を破る開封刃（５）がキャップ本体（３）の天井に設けられ、キャップ本体（３）と容器本体（１）との間に介在するストッパ（６）によって上記開封刃（５）が上記密閉膜（４）から離反せしめられる開封刃付きキャップにおいて、上記ストッパ（６）は上記キャップ本体（３）とは別体の略Ｕ字形リングとして形成され、上記キャップ本体（３）と上記容器本体（１）との間に着脱自在に挿入された開封刃付きキャップを採用する。
【００１４】
また、請求項２に係る発明は、容器本体（１）の注出口（２）の雄ネジ（２ａ）と螺合する雌ネジ（３ａ）がキャップ本体（３）の内部に形成され、容器本体（１）の注出口（２）の密閉膜（４）を破る開封刃（５）がキャップ本体（３）の天井に設けられ、キャップ本体（３）と容器本体（１）との間に介在するストッパ（６）によって上記開封刃（５）が上記密閉膜（４）から離反せしめられる開封刃付きキャップにおいて、上記ストッパ（６）は上記キャップ本体（３）とは別体の略Ｕ字形リングとして形成され、上記開封刃（５）は複数個設けられ、これら複数個の開封刃（５）は切っ先（５ａ）が上記密閉膜（４）に対して同時に接触しうるように形成された開封刃付きキャップを採用する。
【００１５】
また、請求項３に係る発明は、容器本体（１）の注出口（２）の雄ネジ（２ａ）と螺合する雌ネジ（３ａ）がキャップ本体（３）の内部に形成され、容器本体（１）の注出口（２）の密閉膜（４）を破る開封刃（５）がキャップ本体（３）の天井に設けられ、キャップ本体（３）と容器本体（１）との間に介在するストッパ（６）によって上記開封刃（５）が上記密閉膜（４）から離反せしめられる開封刃付きキャップにおいて、上記ストッパ（６）は、上記キャップ本体（３）とは別体の略Ｕ字形リングとして形成され、上記開封刃（５）は、切っ先（５ａ）が上記密閉膜（４）に対して垂直と水平との間の角度で傾斜するように形成された開封刃付きキャップを採用する。
【００１６】
請求項４に記載されるように、請求項１又は請求項２に記載の開封刃付きキャップにおいて、複数個の開封刃（５）が上記天井の中心の回りに環状に配列されたものとすることができる。
【００１７】
請求項５に記載されるように、請求項４に記載の開封刃付きキャップにおいて、開封刃（５）が、上記天井の中央から垂下する円柱の下端にＶ型溝を放射状に設けた形状とされたものとすることができる。
【００１８】
請求項６に記載されるように、請求項３に記載の開封刃付きキャップにおいて、開封刃（５）が、上記天井の中心から外れた位置に設けられたものとすることができる。
【００１９】
請求項７に記載されるように、請求項３又は請求項６のいずれかに記載の開封刃付きキャップにおいて、開封刃（５）が、上記天井の中央から垂下する円柱をその中心軸に斜めに交差する斜面で切除した形状とされたものとすることができる。
【発明の効果】
【００２０】
本発明に係る開封刃付きキャップによれば、ストッパ（６）を引っ張るのみでキャップ本体（３）と容器本体（１）との間から速やかに除去することができる。従って、ストッパ（６）を除去した後直ちにキャップをネジ込んで容器を開封することができる。
【図面の簡単な説明】
【００２１】
【図１】本発明の実施の形態１に係る開封刃付きキャップを示す斜視図である。
【図２】開封刃付きキャップの開封操作前の縦断面図である。
【図３】開封刃付きキャップの開封操作後の縦断面図である。
【図４】ストッパの平面図である。
【図５】ストッパの部分切欠正面図である。
【図６】開封刃を示す斜視図である。
【図７】本発明の実施の形態２に係る開封刃付きキャップの開封操作前における縦断面図である。
【図８】開封刃付きキャップの開封操作後の縦断面図である。
【図９】開封刃を示す斜視図である。
【発明を実施するための形態】
【００２２】
以下に本発明を実施するための形態について説明する。
【００２３】
＜実施の形態１＞
図１及び図２に示すように、この開封刃付きキャップは、容器本体１の注出口２の雄ネジ２ａと螺合する雌ネジ３ａがキャップ本体３の内部に形成され、容器本体１の注出口２の密閉膜４を破る開封刃５がキャップ本体３の天井に設けられ、キャップ本体３と容器本体１との間に介在するストッパ６によって上記開封刃５が上記密閉膜４から離反せしめられている。
【００２４】
容器本体１は、この実施の形態ではチューブ容器として形成されるが、他の形態の容器とすることも可能である。
【００２５】
容器本体１の注出口２は円筒形であり、その外周面には右巻きの雄ネジ２ａが形成される。注出口２は容器本体１と一体で成形することも可能であるが、別体として成形した後に容器本体１に接合し一体化することも可能である。
【００２６】
容器本体１の注出口２の先端は密閉膜４で遮蔽される。密閉膜４は例えばアルミニウム等の金属箔と樹脂層との積層体で形成される。注出口２が樹脂の射出成形によって形成される場合、密閉膜４のポリエチレン等からなる樹脂層が射出樹脂の熱で溶かされることにより密閉膜４が注出口２の先端に貼着される。注出口２をアルミニウム等の金属板の絞りにより成形する場合は、当初から密閉膜４を注出口２と一体で形成することも可能である。
【００２７】
キャップ本体３は、天壁７と、天壁７の内面の天井から垂下する内外二重の円筒壁８，９とを有する。
【００２８】
内円筒壁８の内周面には、上記容器本体１の注出口２の雄ネジ２ａと螺合する雌ネジ３ａが形成される。
【００２９】
なお、内円筒壁８を省略し、外円筒壁９の内周面に雌ネジ３ａを形成することも可能である。
【００３０】
ストッパ６は、図４及び図５に示すように、上記キャップ本体３とは別体の略Ｕ字形のリングとして形成される。図４に示すように、略Ｕ字形のリングである円弧部分６ａは円の一部を欠き、この円の半周よりもやや長く形成される。このため、ストッパ６は、容器本体１の注出口２の付け根又は容器本体１の肩部に、弾性変形によって強固に連結される。
【００３１】
図２に示すように、チューブ容器が未開封の状態にあるとき、ストッパ６の上端はキャップ本体３の外円筒壁９の下端に接し、ストッパ６の下端は容器本体１の肩部１ａに接する。これにより、開封刃５は密封膜４に接しない位置に保持される。
【００３２】
ストッパ６の円弧部分６ａにおける中央部には、必要に応じて摘み片６ｂが設けられる。摘み片６ｂは円弧部分６ａの半径方向外側に突出するように円弧部分６ａと一体的に設けられる。
【００３３】
このチューブ容器を開封するに際して、摘み片６ｂを持ってストッパ６を摘み片６ｂの突出方向に引っ張ることにより、ストッパ６が容器本体１とキャップ本体３との間から簡易に除去される。その後、キャップ本体３が注出口２の周りで例えば右巻きに捩じり操作されると、図３のごとく、キャップ本体３が容器本体１の肩部１ａ側へと螺進し、開封刃５によって密封膜４が破られ、注出口２から中味の注出が可能になる。
【００３４】
開封刃５は、図２及び図６に示すように、複数個設けられる。これら複数個の開封刃５は、切っ先５ａが密閉膜４に対して同時に接触しうるように形成される。これにより、密封膜４に掛かる力が分散され、ストッパ６が脱落した場合等に使用者の意図に反して密封膜４が破られるような事故が防止される。
【００３５】
開封刃５は、より具体的には、図６に示すように、キャップ本体３の天井の中央から垂下する円柱の下端にＶ型溝を放射状に設けた形状とされる。また、その結果、複数個の開封刃５は上記天井の中心の回りに環状に配列される。図示例では、開封刃５は四個形成されるが、四個に限らず、二個、三個又は五個以上形成することも可能である。
【００３６】
上述したようにストッパ６を除去してキャップ本体３を容器本体１の肩部１ａ側へと螺進させると、開封刃５は旋回運動しながら密封膜４に食い込んでゆくので、密封膜４は円滑に破断し、密封膜４の中心には円形に整った穴が穿設されることとなる。
【００３７】
次に、上記構成を有した開封刃付きキャップの作用について説明する。
【００３８】
図２に示すように、チューブ容器の注出口２の先端は密封膜４により閉じられている。容器本体１内には、毛染め剤、脱毛剤等所望の内容物が既に充填されている。
【００３９】
注出口２にはキャップ本体３が被せられ、キャップ本体３の下端と容器本体１の肩部１ａとの間には、ストッパ６が挿入されている。ストッパ６はその円弧部分６ａが注出口２の付け根部分又は容器本体１の肩部１ａにその弾性変形を伴って食い込んでいる。これにより、ストッパ６がキャップ本体３の下から脱落しないように保持される。
【００４０】
また、キャップ本体３及び注出口２の雌雄ネジ３ａ，２ａの螺合により、キャップ本体３の下端と容器本体１の肩部１ａとの間でストッパ６が上下から適度な力で挟まれる。これにより、ストッパ６がキャップ下から脱落しないように保持される。
【００４１】
未開封のチューブ容器から中味を取り出すに際し、使用者によってストッパ６の摘み片６ｂが指で摘まれ、引っ張られると、ストッパ６がキャップ本体３と容器本体１との間から簡易に除去される。
【００４２】
ストッパ６はキャップ本体３と容器本体１とに接しているのみであるから、キャップ本体３を注出口２から外すことなく除去可能である。
【００４３】
続いて、キャップ本体３を閉じ方向に回して容器本体１側へと螺進させると、開封刃５が旋回運動しながら密封膜４に食い込んでゆき、密封膜４が円滑に破断する。そして、図３に示すように、密封膜４の中心に綺麗に整った円形の穴が穿設されることとなる。
【００４４】
使用者がキャップ本体３を注出口２から外し、チューブ容器を押圧すると、中味が密封膜４に開いた円形の穴から滑らかに吐出される。
【００４５】
その後、キャップ本体３を再び図３のごとく注出口２に被せると、チューブ容器は密封状態とされる。
【００４６】
＜実施の形態２＞
図７乃至図９に示すように、この実施の形態２では、開封刃５が実施の形態１の場合とは異なった構成とされる。すなわち、開封刃５の切っ先５ａが密閉膜４に対して垂直と水平との間の角度で傾斜した状態で接触するように形成される。図７中、一点鎖線ｘが切っ先５ａの方向を示し、θが傾斜角度を示す。
【００４７】
より具体的には、図９に示すように、開封刃５がキャップ本体３の天井の中央から垂下する円柱をその中心軸に斜めに交差する斜面で切除した形状とされる。また、その結果、開封刃５は上記天井の中心から外れた位置に設けられることになる。
【００４８】
このように、開封刃５の切っ先５ａが密閉膜４に対して斜めになって対向するので、ストッパ６が脱落した場合に使用者の意図に反して密封膜４が破られるような事故が防止される。
【００４９】
その他、実施の形態２において実施の形態１における部分と同じ箇所には同じ符号を用いて示すこととし、重複した説明を省略する。
【００５０】
なお、本発明は上記実施の形態に限定されるものではなく、例えば上記実施の形態では容器本体をチューブ容器として説明したが、それ以外の形状の容器についても本発明を適用可能である。
【符号の説明】
【００５１】
１…容器本体
２…注出口
２ａ…雄ネジ
３…キャップ本体
３ａ…雌ネジ
４…密閉膜
５…開封刃
５ａ…切っ先
６…ストッパ
【図１】
2012071862.tif 000003
【図２】
2012071862.tif 000004
【図３】
2012071862.tif 000005
【図４】
2012071862.tif 000006
【図５】
2012071862.tif 000007
【図６】
2012071862.tif 000008
【図７】
2012071862.tif 000009
【図８】
2012071862.tif 000010
【図９】
2012071862.tif 000011